(57)【要約】【課題】トレーや焼き網をグリラー室内にセットした状態で梱包搬送や据付けを行うことができるようにする。【解決手段】厨房家具に組み込み式で、グリラー室６を有し、このグリラー室６には引き出し自在に支持体８を備え、この支持体８には扉９とトレー１１と線材からなる焼き網１２とを着脱自在に組み付けてなり、焼き網１２は、トレー１１に載置可能な脚部１２ａとこの脚部１２ａから片持ち状に延出形成された焼床部１２ｂとからなり、梱包時に、支持体８に少なくともトレー１１と焼き網１２とを組み付けた状態で、焼き網１２の弾性力を利用して焼き網１２の焼床部１２ｂとグリラー室６の頂面との間に緩衝材１３を圧接状態に設置する。【選択図】図９
2008304128.tif 000002
【特許請求の範囲】
【請求項１】
厨房家具に組み込み式で、グリラー室を有し、該グリラー室には引き出し自在に支持体を備え、該支持体には扉とトレーと線材からなる焼き網とを着脱自在に組み付けてなる加熱調理器において、
前記焼き網は、前記トレーに載置可能な脚部と該脚部から片持ち状に延出形成された焼床部とからなり、
梱包時に、前記支持体に少なくとも前記トレーと前記焼き網とを組み付けた状態で、該焼き網の弾性力を利用して該焼き網の焼床部と前記グリラー室の頂面との間に緩衝材を圧接状態に設置してなることを特徴とする加熱調理器。
【請求項２】
前記焼き網は、その片持ち状の焼床部に前記緩衝材と係合可能な係止部を有し、該係止部がその片持ち支持部よりもグリラー室の奥側に位置するようにトレーに載置されていることを特徴とする請求項１記載の加熱調理器。
【請求項３】
前記緩衝材は、その周りに作業用空間を確保できる形状を有していることを特徴とする請求項１又は請求項２記載の加熱調理器。
【請求項４】
前記緩衝材は、所定硬度を有しかつ折り曲げ可能な板材からなることを特徴とする請求項１乃至請求項３のいずれかに記載の加熱調理器。
【請求項５】
前記緩衝材は、段ボールからなり、矩形枠状に折曲形成されてなることを特徴とする請求項４記載の加熱調理器。
【請求項６】
前記緩衝材は、段ボールからなり、矩形枠の両側面部を内向きＶ状に窪ませた断面鼓状に折曲形成されてなることを特徴とする請求項４記載の加熱調理器。
【請求項７】
前記緩衝材は、段ボールからなり、開口部を上向きにしたコ字状に折曲形成されてなることを特徴とする請求項４記載の加熱調理器。
【請求項８】
前記緩衝材は、段ボールからなり、矩形枠の上面中央部を内向きに窪ませた凹状に折曲形成されてなることを特徴とする請求項４記載の加熱調理器。
【請求項９】
前記緩衝材は、段ボールからなり、前記焼き網の焼床部に鍔部を載置した断面ハット状に折曲形成されてなることを特徴とする請求項４記載の加熱調理器。
【発明の詳細な説明】
【技術分野】
【０００１】
本発明は、グリラー室内に着脱自在かつ引き出し自在なトレーや焼き網を有し、厨房家具に組み込み可能な加熱調理器、特にトレーや焼き網をグリラー室内にセットした状態で梱包搬送や据付けを行うことができる加熱調理器に関する。
【背景技術】
【０００２】
従来より、グリラー室等の加熱庫内にガイドレールを固定し、このガイドレールにスライド（引き出し）自在に支持体を設け、この支持体に扉やトレーや焼き網を支持させるようにした加熱調理器、及びこのような加熱調理器を厨房家具に組み込み可能としたものは知られている（例えば、特許文献１及び特許文献２参照）。
【０００３】
【特許文献１】特開２００４−２６１２８０号公報（図２及び図５）
【特許文献２】特開２００６−３０８２５３号公報（図１及び図９）
【発明の開示】
【発明が解決しようとする課題】
【０００４】
ところで、このような加熱調理器の扉には、一般に前方に突出する把手が設けられている。このような凸状の把手は、加熱調理器を厨房家具に組み込む際に厨房家具本体と干渉し、支障となるため、扉は支持体から取り外せるようになっている。
【０００５】
また、トレーや焼き網も簡単に洗えるように引き出し自在な支持体から取り外せるようになっている。さらに、支持体は引き出し方向へ自由に動けるため、梱包搬送時や加熱調理器を厨房家具に組み込む時に調理器本体を前方に傾けた際に、トレーや焼き網と共に飛び出し、据え付け作業等の支障となる。
【０００６】
このため、引き出し方式の加熱調理器においては、従来は出荷する前の梱包時に、加熱調理器の扉だけでなくトレーや焼き網も調理器本体から外して別梱包し、支持体はテープによって調理器本体に貼り付け固定することで、飛び出しを抑えるようにしている。
【０００７】
しかしながら、トレーや焼き網も調理器本体から外して別梱包し、調理器本体周辺に配置する形で箱内に収納した場合、箱寸法が大きくならざるを得ない。一方、別梱包したトレーや焼き網を加熱庫内に収納した状態で、前記テーピングを行えば、スペースの有効利用が図れ、箱寸法を小さくすることができる。
【０００８】
しかし、別梱包したトレーや焼き網を加熱庫内に収納した状態で前記テーピングを行った場合、支持体重量が一層重くなり、据え付け時に調理器本体を前方に傾けると、テープで支えきれず、支持体が加熱庫から飛び出してしまう可能性が高くなる。
【０００９】
また、前記テープ固定方式の場合、強度が弱く、梱包状態下であっても落下して衝撃が加わると、テープで支えきれず、支持体が加熱庫から飛び出してしまったり、飛び出さなくても、テープに衝撃が加わり、粘着力が弱くなり、据え付け時に調理器本体を前方に傾けると、テープで支えきれなくなって、支持体が加熱庫から飛び出してしまう虞があった。
【００１０】
本発明の技術的課題は、トレーや焼き網をグリラー室内にセットした状態で梱包搬送や据付けを行うことができるようにすることにある。
【課題を解決するための手段】
【００１１】
本発明に係る加熱調理器は、下記の構成からなるものである。すなわち、厨房家具に組み込み式で、グリラー室を有し、このグリラー室には引き出し自在に支持体を備え、この支持体には扉とトレーと線材からなる焼き網とを着脱自在に組み付けてなる加熱調理器において、焼き網は、トレーに載置可能な脚部とこの脚部から片持ち状に延出形成された焼床部とからなり、梱包時に、支持体に少なくともトレーと焼き網とを組み付けた状態で、焼き網の弾性力を利用して焼き網の焼床部とグリラー室の頂面との間に緩衝材を圧接状態に設置したものである。
【発明の効果】
【００１２】
本発明の加熱調理器によれば、焼き網が脚部とこの脚部から片持ち状に延出形成された焼床部とからなり、弾性力を発現することができるので、この焼き網の弾性力を利用して焼き網の焼床部とグリラー室の頂面との間に緩衝材を圧接状態に設置することができ、これによってトレーや焼き網をグリラー室内にセットした状態で梱包搬送や据付けを行うことができる。また、焼き網の焼床部とグリラー室の頂面との間に緩衝材を圧接することにより、焼き網の焼床部やグリラー室の頂面に段部や凹凸があれば、これら段部や凹凸と緩衝材とを係合させることができ、支持体がグリラー室から飛び出すのをより強固に阻止することができる。従って、焼き網の焼床部やグリラー室の頂面に段部や凹凸を積極的に形成することは好ましい。
【発明を実施するための最良の形態】
【００１３】
実施の形態１．
以下、図示実施形態により本発明を説明する。
図１は本発明の実施の形態１に係る加熱調理器を厨房家具に組み込む際の手順を示す模式図、図２はその加熱調理器から支持体を分離しそれに扉とトレーを組み付けた状態を示す分解斜視図、図３はその加熱調理器から扉とトレーと焼き網を分離した状態を示す分解斜視図、図４はその焼き網の詳細を示す拡大斜視図、図５はその加熱調理器に支持体を収納した状態を示す斜視図、図６はその加熱調理器に支持体を収納した状態を側方より示す断面図、図７はその加熱調理器の支持体上にトレーをセットした状態を側方より示す断面図、図８はその加熱調理器の支持体上にトレーと焼き網をセットした状態を側方より示す断面図、図９はその加熱調理器の支持体上にトレーと焼き網と緩衝材をセットした梱包状態を側方より示す断面図、図１０はその加熱調理器の梱包状態の正面図、図１１はその加熱調理器のグリラー室より引き出された支持体上にトレーと焼き網と緩衝材をセットしてからグリラー室内に押し込む際の手順を側方より示す断面図、図１２はその加熱調理器の梱包に用いられる緩衝材の斜視図、図１３はその加熱調理器の梱包に用いられた緩衝材の固定を解除する手順を示す正面図である。
【００１４】
本実施の形態の加熱調理器すなわちグリラー１は、図１乃至図８に示すように電磁誘導加熱調理器２の天板３の下方に配置され、電磁誘導加熱調理器２と共に厨房家具のキャビネット４に組み込まれるようになっている。すなわち、グリラー１は、魚や肉等の被加熱物を加熱調理するための上ヒータ５ａ及び下ヒータ５ｂが設置されたグリラー室６を有し、グリラー室６には、その両側壁に奥行き方向に延びるガイドレール７ａ，７ｂが固定され、これらガイドレール７ａ，７ｂにスライド（引き出し）自在かつ着脱自在に枠状の支持体８が取り付けられ、支持体８に、扉９とトレー１１と線材からなる焼き網１２が着脱自在に組み付けられて支持されるようになっている。
【００１５】
焼き網１２は、図４のようにトレー１１に載置可能な脚部１２ａと、脚部１２ａから片持ち状に延出形成された焼床部１２ｂとからなり、かつ焼床部１２ｂの自由端には、図９及び図１１のように梱包搬送から厨房家具のキャビネット４への据付に至るまでの間、グリラー室６内に収納されて固定材として機能する緩衝材１３と係合可能な係止部１２ｃが上向きに折曲形成され、係止部１２ｃがその片持ち支持部よりもグリラー室６の奥側に位置するようにトレー１１に載置されるようになっている。
【００１６】
緩衝材１３は、所定硬度を有しかつ折り曲げ可能な板材、例えば段ボールを折曲形成して矩形枠状に構成されてなり、梱包時に、その筒軸方向がグリラー室６の奥行き方向を向くように焼き網１２の焼床部１２ｂ上に配置され、焼き網１２の持つ弾性力によって焼床部１２ｂとグリラー室６の頂面との間に圧接状態におかれるようになっている。したがって、焼き網１２の焼床部１２ｂやグリラー室６の頂面に段部や凹凸があれば、これら段部や凹凸と緩衝材１３とを係合させることができ、支持体８がグリラー室６から飛び出すのをより強固に阻止することができる。ここでは、焼床部１２ｂの自由端（グリラー室奥側）に係止部１２ｃが形成され、またグリラー１の前面に設けた額縁状の化粧板１ａによってグリラー室６の前縁部に図６乃至図１０のように段部１ｂが形成されているので、焼き網１２の弾性力（片持ち支持部を中心に回動方向に作用する）によって生ずる前後方向の分力により、緩衝材１３を図９のように係止部１２ｃと段部１ｂによって前後からも挟み付けることができ、支持体８がグリラー室６から飛び出すのをより強固に阻止することができる。なお、緩衝材１３は、図１０のようにその周り、ここではグリラー室６内において正面からみてその両側に、手が入る程度に作業用空間６ａ，６ｂを確保できる幅に設定されている。
【００１７】
次に、本実施の形態の加熱調理器、すなわちグリラー１の梱包から据付までの手順について図１乃至図１３に基づき説明する。梱包は、まずグリラー室６から支持体８を引き出し、支持体８から扉９を取り外し、別梱包する。次いで、扉９を取り外した支持体８にトレー１１と焼き網１２を載せ、さらに焼き網１２上に緩衝材１３を載せてから、図１１に矢印で示すように、緩衝材１３の奥側の上縁部が化粧板１ａの上縁部下を通過できるようになるまで焼き網１２の焼床部１２ｂの自由端を下方へ押圧し、そのまま緩衝材１３ごと支持体８をグリラー室６内に収納する。これにより、図９のように焼き網１２の焼床部１２ｂとグリラー室６の頂面との間に緩衝材１３が圧接状態で、かつ係止部１２ｃと段部１ｂによって前後からも挟み付けられた状態で設置され、支持体８がグリラー室６から飛び出すのが強固に阻止される。この状態で段ボール箱等に別梱包の扉９と共に収納され、搬送される。
【００１８】
据付は、図１のように行われる。すなわち、グリラー１を段ボール箱から取り出した状態、つまりグリラー１から扉９が取り外されていて、緩衝材１３により支持体８のグリラー室６からの飛び出しが阻止されている状態で、グリラー１を前方に傾けて、厨房家具のキャビネット４の上面開口部から差し込み、そのまま矢印のようにグリラー１の前面をキャビネット４の前面開口部に差し込む。その後、作業用空間６ａ，６ｂ内に手を差し入れて、図１３に矢印で示すように緩衝材１３の上面１３ｃすなわち手前側の上縁部が化粧板１ａの上縁部下を通過できるようになるまで緩衝材１３の両側壁１３ａ，１３ｂを側方に傾け、そのまま緩衝材１３ごと支持体８をグリラー室６から引き出し、緩衝材１３を取り除いてから、支持体８に扉９を取り付ける。
【００１９】
このように、本実施の形態の加熱調理器においては、焼き網１２が脚部１２ａとこの脚部１２ａから片持ち状に延出形成された焼床部１２ｂとからなり、弾性力を発現することができるので、この焼き網１２の弾性力を利用して焼床部１２ｂとグリラー室６の頂面との間に緩衝材１３を圧接状態に設置することができる。このため、トレー１１や焼き網１２をグリラー室内にセットした状態で梱包搬送や据付けを行うことができる。
【００２０】
また、焼き網１２の片持ち状の焼床部１２ｂの自由端に緩衝材１３との係止部１２ｃを形成するとともに、グリラー１の前面の額縁状の化粧板１ａによってグリラー室６の前縁部に段部１ｂが形成されるようにしているので、焼き網１２の弾性力によって緩衝材１３を係止部１２ｃと段部１ｂの間に前後から挟み付けることもできる。このため、支持体８がグリラー室６から飛び出すのをより強固に阻止することができる。
【００２１】
また、緩衝材１３は、その周り、ここでは正面からみてグリラー室内の側方に、作業用空間６ａ，６ｂを確保できる形状を有するように構成しているので、据付後の緩衝材１３の取り出し作業を容易に行うことができる。
【００２２】
また、緩衝材１３は、所定硬度を有しかつ折り曲げ可能な板材から構成することで、容易に作成することができる。
【００２３】
また、緩衝材１３として段ボールを用い、これを矩形枠状に折曲形成して構成することで、容易に作成できるだけでなく、リサイクルが可能となる。
【００２４】
実施の形態２．
図１４は本発明の実施の形態２に係る加熱調理器の支持体上にトレーと焼き網と緩衝材をセットした梱包状態を側方より示す断面図であり、図中、前述の実施の形態１のものと同一部分には同一符号を付してある。
【００２５】
本実施の形態の加熱調理器すなわちグリラー１は、図１４に示すように梱包時に用いられる例えば段ボールからなる矩形枠状の緩衝材２３が、前述の実施の形態１のものより筒軸方向寸法を短尺に設定されているとともに、そのグリラー室６の奥側に配置される末端部に、線材からなる焼き網１２の横線部１２ｄと係合可能なＬ形係止部２３ａが切り起こし折り曲げにより形成されている点が前述の実施の形態１のものと異なっている。それ以外の加熱調理器そのものの構成は前述の実施の形態１のものと同一である。
【００２６】
本実施の形態の加熱調理器においては、前述の実施の形態１のもつ効果に加え、緩衝材２３の筒軸方向寸法が短くなった分、緩衝材２３のコストを低減できる利点がある。
【００２７】
実施の形態３．
図１５は本発明の実施の形態３に係る加熱調理器の梱包状態を示す正面図、図１６はその加熱調理器の梱包に用いられる緩衝材の斜視図、図１７はその加熱調理器の梱包に用いられた緩衝材の固定を解除する手順を示す正面図であり、各図中、前述の実施の形態１のものと同一部分には同一符号を付してある。なお、説明にあたっては前述の図１乃至図３を参照するものとする。
【００２８】
本実施の形態の加熱調理器すなわちグリラー１は、図１５及び図１６に示すように梱包時に用いられる例えば段ボール製の緩衝材３３が、矩形枠の両側面部３３ａ，３３ｂを内向きＶ状に窪ませた断面鼓状に折曲形成されていて、緩衝材３３そのものも弾性力を発現できるように構成されている点が前述の実施の形態１のものと異なっている。それ以外の加熱調理器そのものの構成は前述の実施の形態１のものと同一である。
【００２９】
本実施の形態の加熱調理器において、梱包時や据付後の緩衝材３３除去時には、図１７に示すように緩衝材３３のＶ状の両側面部３３ａ，３３ｂを押してさらに窪ませ、それによって鼓状緩衝材３３の高さを圧縮し、緩衝材３３の上面３３ｃ全体が化粧板１ａの上縁部下を通過できるようにする。グリラー室６内にて両側面部３３ａ，３３ｂを押圧から解放すれば、緩衝材３３そのものの弾性力と焼き網１２のもつ弾性力との相乗効果により、焼き網１２の焼床部１２ｂとグリラー室６の頂面との間に緩衝材３３が圧接状態で、かつ前述の図９のものと同様に係止部１２ｃと段部１ｂによって前後からも挟み付けられた状態で設置され、支持体８がグリラー室６から飛び出すのが強固に阻止される。
【００３０】
本実施の形態の加熱調理器においては、前述の実施の形態１のもつ効果に加え、緩衝材３３の弾性力も利用できるので、伸縮ストロークを大きくでき、その分、設計的自由度が高まるという利点がある。
【００３１】
実施の形態４．
図１８は本発明の実施の形態４に係る加熱調理器の梱包状態を示す正面図であり、図中、前述の実施の形態３のものと同一部分には同一符号を付してある。なお、説明にあたってはここでも前述の図１乃至図３を参照するものとする。
【００３２】
本実施の形態の加熱調理器すなわちグリラー１は、図１８に示すように梱包時に用いられる例えば段ボール製の緩衝材３３が、矩形枠の両側面部３３ａ，３３ｂを内向きＶ状に窪ませた断面鼓状に折曲形成されていて、緩衝材３３そのものも弾性力を発現できるように構成されている。ここまでは前述の実施の形態３のものと同一であるが、本実施の形態では、緩衝材３３の手前側端部に、上辺部から垂下する把手３３ｄが設けられていて、把手３３ｄを下方へ引くことで、鼓状緩衝材３３の高さを圧縮できるようにした点が前述の実施の形態３のものと異なっている。それ以外の加熱調理器そのものの構成は前述の実施の形態１のものと同一である。
【００３３】
本実施の形態の加熱調理器において、梱包時や据付後の緩衝材３３除去時には、図１８に示すように緩衝材３３の把手３３ｄを下方へ引いて、Ｖ状の両側面部３３ａ，３３ｂをさらに窪ませて鼓状緩衝材３３の高さを圧縮し、緩衝材３３の上面３３ｃ全体が化粧板１ａの上縁部下を通過できるようにする。グリラー室６内にて把手３３ｄを解放すれば、緩衝材３３そのものの弾性力と焼き網１２のもつ弾性力との相乗効果により、焼き網１２の焼床部１２ｂとグリラー室６の頂面との間に緩衝材３３が圧接状態で、かつ前述の図９のものと同様に係止部１２ｃと段部１ｂによって前後からも挟み付けられた状態で設置され、支持体８がグリラー室６から飛び出すのが強固に阻止される。
【００３４】
本実施の形態の加熱調理器においては、緩衝材３３に把手３３ｄを設けているので、前述の実施の形態１，３のもつ効果に加え、梱包時や据付後の緩衝材３３除去時に緩衝材３３の高さを圧縮させる作業が容易となるという利点がある。
【００３５】
実施の形態５．
図１９は本発明の実施の形態５に係る加熱調理器の梱包状態を示す正面図、図２０はその加熱調理器の梱包に用いられる緩衝材の斜視図、図２１はその加熱調理器の梱包に用いられた緩衝材の固定を解除する手順を示す正面図であり、各図中、前述の実施の形態１のものと同一部分には同一符号を付してある。なお、説明にあたってはここでも前述の図１乃至図３を参照するものとする。
【００３６】
本実施の形態の加熱調理器すなわちグリラー１は、図１９及び図２０に示すように梱包時に用いられる例えば段ボール製の緩衝材４３が、開口部を上向きにしたコ字状に折曲形成され、このコ字状緩衝材４３の両側片部４３ａ，４３ｂの各末端の一端面４３ｃ，４３ｄが梱包時に化粧板１ａの上縁部と係合できるように構成されている点が前述の実施の形態１のものと異なっている。それ以外の加熱調理器そのものの構成は前述の実施の形態１のものと同一である。
【００３７】
本実施の形態の加熱調理器において、梱包時や据付後の緩衝材４３除去時には、作業用空間６ａ，６ｂ内に手を差し入れて、緩衝材４３の両側片部４３ａ，４３ｂを、その各末端の一端面４３ｃ，４３ｄが化粧板１ａの上縁部との係合が解けるまで押圧して傾け、それによって緩衝材４３の高さを圧縮し、緩衝材４３の両側片部４３ａ，４３ｂの各末端の一端面４３ｃ，４３ｄが化粧板１ａの上縁部下を通過できるようにする。グリラー室６内にて両側片部４３ａ，４３ｂを押圧から解放すれば、焼き網１２のもつ弾性力により、焼き網１２の焼床部１２ｂとグリラー室６の頂面との間に緩衝材４３が圧接状態で、かつ前述の図９のものと同様に係止部１２ｃと段部１ｂによって前後からも挟み付けられた状態で設置され、支持体８がグリラー室６から飛び出すのが強固に阻止される。
【００３８】
本実施の形態の加熱調理器においては、前述の実施の形態１のもつ効果に加え、緩衝材４３がコ字状に折曲形成されているので、緩衝材４３の製作が容易となる。さらにその周面の一部が不要となっているため、その分、緩衝材４３のコストを低減できる利点がある。
【００３９】
実施の形態６．
図２２は本発明の実施の形態６に係る加熱調理器の梱包状態を示す正面図、図２３はその加熱調理器の梱包に用いられる緩衝材の斜視図、図２４はその加熱調理器の梱包に用いられた緩衝材の固定を解除する手順を示す正面図であり、各図中、前述の実施の形態１のものと同一部分には同一符号を付してある。なお、説明にあたってはここでも前述の図１乃至図３を参照するものとする。
【００４０】
本実施の形態の加熱調理器すなわちグリラー１は、図２２及び図２３に示すように梱包時に用いられる例えば段ボール製の緩衝材５３が、矩形枠の上面中央部５３ａを内向きに窪ませた凹状に折曲形成され、その凹状窪み（上面中央部５３ａ）両側の上縁部５３ｄ，５３ｅが梱包時に化粧板１ａの上縁部と係合できるように構成されている点が前述の実施の形態１のものと異なっている。それ以外の加熱調理器そのものの構成は前述の実施の形態１のものと同一である。
【００４１】
本実施の形態の加熱調理器において、梱包時は、前述の実施の形態１のものと同様に緩衝材５３の奥側の上縁部５３ｄ，５３ｅが化粧板１ａの上縁部下を通過できるようになるまで焼き網１２の焼床部１２ｂの自由端を下方へ押圧し、そのまま緩衝材５３ごと支持体８をグリラー室６内に収納する。
【００４２】
据付後の緩衝材５３除去時は、上面中央部５３ａの凹状窪みからなる作業用空間内に手を差し入れて、図２４のように上面中央部５３ａの凹状窪みを更に下方に押し下げ、この時の押圧力によって緩衝材５３の両側片部５３ｂ，５３ｃを内側に傾けるとともに、緩衝材５３の高さを圧縮し、緩衝材５３の上縁部５３ｄ，５３ｅが化粧板１ａの上縁部の上縁部下を通過できるようにし、そのまま緩衝材５３ごと支持体８をグリラー室６から引き出し、緩衝材５３を取り除き、支持体８に扉９を取り付ける。なお、前記上面中央部５３ａの凹状窪みを押し下げた際の両側片部５３ｂ，５３ｃの傾動や高さの圧縮がスムーズに行われるように折り目などを付けておくことは好ましい。
【００４３】
本実施の形態の加熱調理器においては、前述の実施の形態１のもつ効果に加え、緩衝材５３が凹状に折曲形成されているため、構造的に緩衝材５３の強度を増加させることができる利点がある。
【００４４】
実施の形態７．
図２５は本発明の実施の形態７に係る加熱調理器の梱包状態を示す正面図、図２６はその加熱調理器の梱包に用いられる緩衝材の斜視図、図２７はその加熱調理器の梱包に用いられた緩衝材の固定を解除する手順を示す正面図であり、各図中、前述の実施の形態１のものと同一部分には同一符号を付してある。なお、説明にあたってはここでも前述の図１乃至図３を参照するものとする。
【００４５】
本実施の形態の加熱調理器すなわちグリラー１は、図２５及び図２６に示すように梱包時に用いられる例えば段ボール製の緩衝材６３が、断面ハット状に折曲形成され、その鍔部６３ａ，６３ｂを焼き網１２の焼床部１２ｂ上に載置させた状態でセットされ、その上縁部６３ｃが梱包時に化粧板１ａの上縁部と係合できるように構成されている点が前述の実施の形態１のものと異なっている。それ以外の加熱調理器そのものの構成は前述の実施の形態１のものと同一である。
【００４６】
本実施の形態の加熱調理器において、梱包時は、前述の実施の形態１のものと同様に緩衝材６３の奥側の上縁部６３ｃが化粧板１ａの上縁部下を通過できるようになるまで焼き網１２の焼床部１２ｂの自由端を下方へ押圧し、そのまま緩衝材６３ごと支持体８をグリラー室６内に収納する。
【００４７】
据付後の緩衝材６３除去時は、グリラー室６内のハット頭部両側に形成されている作業用空間６ａ，６ｂ内に手を差し入れて、図２７に矢印で示すように緩衝材６３の手前側における鍔部６３ａ，６３ｂの基部側を押圧し、これにより焼き網１２の焼床部１２ｂをその幅方向中央部を中心に下方に撓ませることで、緩衝材６３の手前側の上縁部６３ｃが化粧板１ａの上縁部下を通過できるようにする。そして、そのまま緩衝材６３ごと支持体８をグリラー室６から引き出し、緩衝材６３を取り除いてから、支持体８に扉９を取り付ける。
【００４８】
本実施の形態の加熱調理器においては、前述の実施の形態１のもつ効果に加え、緩衝材６３が断面ハット状に折曲形成され、その鍔部６３ａ，６３ｂが焼き網１２の焼床部１２ｂ上に載置させた状態でセットされるようになっているので、緩衝材６３の鍔部６３ａ，６３ｂを焼床部１２ｂと共に幅方向で湾曲させることもできる。このため、梱包時に焼き網１２との一体感が得られるという利点がある。
【００４９】
実施の形態８．
図２８は本発明の実施の形態８に係る加熱調理器の支持体上にトレーと焼き網と緩衝材をセットした梱包状態を側方より示す断面図であり、図中、前述の実施の形態１のものと同一部分には同一符号を付してある。
【００５０】
本実施の形態の加熱調理器すなわちグリラー１は、図２８に示すように梱包時に用いられる例えば段ボールからなる矩形枠状の緩衝材７３が、前述の実施の形態１のものより高さ寸法が圧縮され、梱包時に緩衝材７３が係止部１２ｃと段部１ｂの間に斜めに配置され、焼き網１２の弾性力によって係止部１２ｃと段部１ｂの間に前後から挟み付けられるようにしている点が前述の実施の形態１のものと異なっている。それ以外の加熱調理器そのものの構成は前述の実施の形態１のものと同一である。
【００５１】
本実施の形態の加熱調理器においては、前述の実施の形態１のもつ効果に加え、緩衝材７３の高さ寸法が圧縮された分、緩衝材７３のコストを低減できる利点がある。
【００５２】
なお、前述の各実施の形態では、いずれも緩衝材を段ボールから構成したものを例に挙げて説明したが、これに限るものでなく、所定硬度を有しかつ折り曲げ可能な板材であればよく、例えば合成樹脂からなる板材の使用も可能である。
【図面の簡単な説明】
【００５３】
【図１】本発明の実施の形態１に係る加熱調理器を厨房家具に組み込む際の手順を示す模式図である。
【図２】本発明の実施の形態１に係る加熱調理器から支持体を分離しそれに扉とトレーを組み付けた状態を示す分解斜視図である。
【図３】本発明の実施の形態１に係る加熱調理器から扉とトレーと焼き網を分離した状態を示す分解斜視図である。
【図４】本発明の実施の形態１に係る加熱調理器の焼き網の詳細を示す拡大斜視図である。
【図５】本発明の実施の形態１に係る加熱調理器に支持体を収納した状態を示す斜視図である。
【図６】本発明の実施の形態１に係る加熱調理器に支持体を収納した状態を側方より示す断面図である。
【図７】本発明の実施の形態１に係る加熱調理器の支持体上にトレーをセットした状態を側方より示す断面図である。
【図８】本発明の実施の形態１に係る加熱調理器の支持体上にトレーと焼き網をセットした状態を側方より示す断面図である。
【図９】本発明の実施の形態１に係る加熱調理器の支持体上にトレーと焼き網と緩衝材をセットした梱包状態を側方より示す断面図である。
【図１０】本発明の実施の形態１に係る加熱調理器の梱包状態の正面図である。
【図１１】本発明の実施の形態１に係る加熱調理器のグリラー室より引き出された支持体上にトレーと焼き網と緩衝材をセットしてからグリラー室内に押し込む際の手順を側方より示す断面図である。
【図１２】本発明の実施の形態１に係る加熱調理器の梱包に用いられる緩衝材の斜視図である。
【図１３】本発明の実施の形態１に係る加熱調理器の梱包に用いられた緩衝材の固定を解除する手順を示す正面図である。
【図１４】本発明の実施の形態２に係る加熱調理器の支持体上にトレーと焼き網と緩衝材をセットした梱包状態を側方より示す断面図である。
【図１５】本発明の実施の形態３に係る加熱調理器の梱包状態を示す正面図である。
【図１６】本発明の実施の形態３に係る加熱調理器の梱包に用いられる緩衝材の斜視図である。
【図１７】本発明の実施の形態３に係る加熱調理器の梱包に用いられた緩衝材の固定を解除する手順を示す正面図である。
【図１８】本発明の実施の形態４に係る加熱調理器の梱包状態を示す正面図である。
【図１９】本発明の実施の形態５に係る加熱調理器の梱包状態を示す正面図である。
【図２０】本発明の実施の形態５に係る加熱調理器の梱包に用いられる緩衝材の斜視図である。
【図２１】本発明の実施の形態５に係る加熱調理器の梱包に用いられた緩衝材の固定を解除する手順を示す正面図である。
【図２２】本発明の実施の形態６に係る加熱調理器の梱包状態を示す正面図である。
【図２３】本発明の実施の形態６に係る加熱調理器の梱包に用いられる緩衝材の斜視図である。
【図２４】本発明の実施の形態６に係る加熱調理器の梱包に用いられた緩衝材の固定を解除する手順を示す正面図である。
【図２５】本発明の実施の形態７に係る加熱調理器の梱包状態を示す正面図である。
【図２６】本発明の実施の形態７に係る加熱調理器の梱包に用いられる緩衝材の斜視図である。
【図２７】本発明の実施の形態７に係る加熱調理器の梱包に用いられた緩衝材の固定を解除する手順を示す正面図である。
【図２８】本発明の実施の形態８に係る加熱調理器の支持体上にトレーと焼き網と緩衝材をセットした梱包状態を側方より示す断面図である。
【符号の説明】
【００５４】
１  グリラー（加熱調理器）、４  キャビネット（厨房家具）、６  グリラー室、６ａ，６ｂ  作業用空間、８  支持体、９  扉、１１  トレー、１２  焼き網、１２ａ  脚部、１２ｂ  焼床部、１２ｃ  係止部、１３，２３，７３  矩形枠状の緩衝材、３３  断面鼓状の緩衝材、４３  コ字状の緩衝材、５３  凹状の緩衝材、６３  断面ハット状の緩衝材、６３ａ，６３ｂ  鍔部。
【図１】
2008304128.tif 000003
【図２】
2008304128.tif 000004
【図３】
2008304128.tif 000005
【図４】
2008304128.tif 000006
【図５】
2008304128.tif 000007
【図６】
2008304128.tif 000008
【図７】
2008304128.tif 000009
【図８】
2008304128.tif 000010
【図９】
2008304128.tif 000011
【図１０】
2008304128.tif 000012
【図１１】
2008304128.tif 000013
【図１２】
2008304128.tif 000014
【図１３】
2008304128.tif 000015
【図１４】
2008304128.tif 000016
【図１５】
2008304128.tif 000017
【図１６】
2008304128.tif 000018
【図１７】
2008304128.tif 000019
【図１８】
2008304128.tif 000020
【図１９】
2008304128.tif 000021
【図２０】
2008304128.tif 000022
【図２１】
2008304128.tif 000023
【図２２】
2008304128.tif 000024
【図２３】
2008304128.tif 000025
【図２４】
2008304128.tif 000026
【図２５】
2008304128.tif 000027
【図２６】
2008304128.tif 000028
【図２７】
2008304128.tif 000029
【図２８】
2008304128.tif 000030